(57)【要約】
【課題】　置物として有用できることは無論のこと、いわゆる万年カレンダーとしても利用できるようにした陶製などによる置物を提供すること。
【解決手段】　陶磁器，金属，プラスチック，木，ガラスなどのいずれかの材料で形成された動物又はその他の物の置物１の正面に、少なくとも４個の立方体状ブロック４，５，６，７であって各ブロックの表面にそれぞれ月，日，曜日などのカレンダー表示を施した表示ブロック４〜７を、選択した表示面を正面に向けてセットできるように形成した表示ブロックのセット部３を設けたこと。
【選択図】図１
0003099813.tif 000002
【実用新案登録請求の範囲】
【請求項１】
　陶磁器，金属，プラスチック，木，ガラスなどのいずれかの材料で形成された動物又はその他の物の置物の正面に、少なくとも４個の立方体状ブロックであって各ブロックの表面にそれぞれ月，日，曜日などのカレンダー表示を施した表示ブロックを、選択した表示面を正面に向けてセットできるように形成した表示ブロックのセット部を設けたことを特徴とするカレンダー置物。
【請求項２】
　陶磁器，金属，プラスチック，木，ガラスなどのいずれかの材料で形成された動物又はその他の物の置物を載置する座蒲団状の載置台の正面に、少なくとも４個の立方体状ブロックであって各ブロックの表面にそれぞれ月，日，曜日などのカレンダーの表示を施した表示ブロックを、選択した表示面を正面に向けてセットできるように形成した表示ブロックのセット部を設けたことを特徴とするカレンダー置物。
【請求項３】
　置物本体は、陶磁器製，金属製，プラスチック製、木製，ガラス製，石膏製，大理石製，ゴム製，布製のいずれかである請求項１又は２のカレンダー置物。
【請求項４】
　載置台は、陶磁器製，金属製，プラスチック製、木製，ガラス製，石膏製，大理石製，ゴム製，布製のいずれかである請求項１〜３のいずれかのカレンダー置物。
【請求項５】
　表示ブロックは、陶磁器製，金属製，プラスチック製、木製，ガラス製，石膏製，大理石製，ゴム製，布製のいずれかである請求項１〜４のいずれかのカレンダー置物。
【請求項６】
　表示ブロックには、月，日，曜日の表示用ブロックのほか、年表示用のブロック、又は、干支表示用のブロック、若しくは、誕生日などの記念日表示用のブロックのうち少なくとも１つを付加した請求項１〜５のいずれかのカレンダー置物。
【考案の詳細な説明】
【技術分野】
【０００１】
　本考案はいわゆる万年カレンダー機能を具備した陶製などの置物に関する。
【背景技術】
【０００２】
　従来よりいわゆる万年カレンダーは、様々な形態のものが提案され、実用に供されているものもあるが、やゝ興趣に乏しいものが多かった。
【０００３】
　即ち、万年カレンダーは、既存の一般的なカレンダーの形態に倣ったものが多く、従って、一般的カレンダー用紙状やパネル状、或は、縦長や横長の帯状など平板形態のものが大半であった。
【０００４】
　しかし、万年カレンダー機能が、例えば、招き猫のような陶製置物に組込むことができれば、置物として有用性のほか、その置物が万年カレンダーとしても利用できるので、きわめて実用性が高いのみならず、興趣豊かな置物になると考えられる。
【考案の開示】
【考案が解決しようとする課題】
【０００５】
　そこで本考案は、置物として有用できることは無論のこと、いわゆる万年カレンダーとしても利用できるようにした陶製などによる置物を提供することを課題とするものである。
【課題を解決するための手段】
【０００６】
　上記課題を解決することを目的としてなされた本考案置物の第一の構成は、陶磁器，金属，プラスチック，木，ガラスなどのいずれかの材料で形成された動物又はその他の物の置物の正面に、少なくとも４個の立方体状ブロックであって各ブロックの表面にそれぞれ月，日，曜日などのカレンダー表示を施した表示ブロックを、選択した表示面を正面に向けてセットできるように形成した表示ブロックのセット部を設けたことを特徴とするものである。
【０００７】
　また、上記課題を解決することができる本考案装置の第二の構成は、陶磁器，金属，プラスチック，木，ガラスなどのいずれかの材料で形成された動物又はその他の物の置物を載置する座蒲団状の載置台の正面に、少なくとも４個の立方体状ブロックであって各ブロックの表面にそれぞれ月，日，曜日などのカレンダー表示を施した表示ブロックを、選択した表示面を正面に向けてセットできるように形成した表示ブロックのセット部を設けたことを特徴とするものである。
【考案の効果】
【０００８】
　動物などの陶製などによる置物の外観にマッチする態様で万年カレンダー機能を果す構成を付加して置物を形成したから、置物として何ら違和感もなく、それを万年カレンダーとして利用できる。
【考案を実施するための最良の形態】
【０００９】
　次に本考案置物の実施の形態例について図を参照して説明する。図１は本考案置物の第一例の正面図、図２は同じく第二例の正面図、図３は図１，図２から表示ブロックのセット部を抽出して示した断面図、図４は４個の立方体状をなす表示ブロックを、その表示内容を略示して示した斜視図である。
【００１０】
　図１，図２において、１は、例えば干支の中の適宜動物の座した姿勢をデフォルメして形成した、ここでは陶製の置物本体である。本考案における置物本体１は、陶磁器製のほか、金属製，プラスチック製、木製，ガラス製，石膏製，大理石製，ゴム製，布製など、置物本体１を形成できるものであって長期に亘り変形，変質しないものであれば、材料の選択は任意である。また、その置物本体１の対象物は、上記動物（架空のものを含む）のほか、建造物や乗り物、人形など、凡そ置物に形成して用いることができれば、特に限定されるものではない。
【００１１】
　２は、図２の置物本体１において、当該本体１を載置するための座蒲団状に形成した載置台である。この載置台２の材質も、置物本体１と同様の材料の中から任意のものを選択すればよい。因みに、図２の載置台２は陶製のものの表面に短繊維を静電植毛等によって帛布状の質感を出したものである。
【００１２】
　図１の置物本体１、及び、図２の載置台２の置物としての正面側には、後述する表示ブロックのセット部３が形成されている。この表示ブロックのセット部３は、図１の置物本体１では、座った姿勢の動物が拡げた両手に支えた正面から見てトレー状で、断面が略」状乃至略Ｖ字状をなすセット部３として形成されている。また、表示ブロックのセット部３は、図２の座蒲団状に形成した載置台２では、その正面前方（手前側）に、側断面略Ｖ字状乃至略」状に凹陥させたセット部３として形成されている。
【００１３】
　次に、上記セット部３にセットされる４個の立方体状の表示ブロック４，５，６，７について説明する。
【００１４】
　４個の各表示ブロック４〜７は、図示した例では、４個とも同じ大きさの立方体状ブロックで形成されている。そして、４個のブロック４〜７は、そのセット部３に左から順に横一列に並べたとき、左端のブロック４の正面に現れる側の表示が月を、中間のブロック５，６の正面に現れる側の表示が日を、右端のブロック７の正面に現れる側の表示が曜日を、それぞれに示すように、各ブロック４〜７におけるすべての面に、所要の表示が施されている。
【００１５】
　まず、左端の表示ブロック４の各面は、１年12ヶ月の各月の表示を、ここではローマ文字の３字を使って英語の略表示によって表示するため、各面にそれぞれに2ヶ月分の略表示ａ，ｂを表示している。上記の月表示は、各面にそれぞれ2ヶ月分を表示すれば、使用する文字の種類は、数字，漢字，仮名など任意である。また、各月の表示ごと、或は、各面の表示ごと色を変えることもある。
【００１６】
　中間に置く日付けの表示ブロック５，６は、１ヶ月の日にちを表示するためのものである。1ヶ月は、最大１日〜31日まであるから、２つのブロック５，６の12面を組合せて１日から31日までの表示ができるように、その表示内容が工夫されている。即ち、日付け用の表示ブロック５，６のうちブロック５には、０，１，２，６(逆向きにして９を兼用)，７，８の各数字が、このブロック５の各面に表示されている一方、ブロック６には０，１，２，３，４，５の各数字が、このブロック６の各面に表示されている。２つの日付ブロック５，６の各表面の数字表示をセット部３の正面に現れる側において組合せることにより、１日〜31日までの表示を行うことができる。
【００１７】
　右端の曜日の表示ブロック７は、1週間が７曜日あるので、ここでは土曜と日曜の２つの英略語表示を、このブロック７の一つの表面に表示し、残りの６面に月曜から金曜までの英略語表示をしている。この曜日の表示も、月表示ブロック４の場合と同様に、文字の種類は英略語表示以外であってもよい。
【００１８】
　上記のように各表示ブロック４〜７が形成されることにより、月，日，曜日の表示を、各ブロック４〜７ごとに、セット部３の正面側に現れる面を所要の表示内容に選択してセット部３に並べると、置物本体１又はその載置台２の正面に、その日のカレンダー表示（月，日，曜日）を形成することができる。なお、各ブロック４〜７の月，日付け，曜日の表示面の変更は、本考案置物の持主などがその度変更すればよい。
【００１９】
　以上の説明において、４個の表示ブロック４〜７は、全部統一した大きさとしたが、月表示ブロック４や曜日表示ブロック７を日付表示ブロック５，６と異なる大きさとしてもよい。そのようにするかどうかは任意である。
【００２０】
　また、月表示ブロック４と曜日表示ブロック７は、両ブロック４，７とも、或は、いずれか一方のブロック４又は７を、図示しないが、上記例とは異なって夫々に２個のブロックで形成し、各ブロックの一面に月表示、或は、曜日表示をするようにしてもよい。この構成を採ると、本考案における表示ブロックは、少なくとも５個、多いと６個用いることとなる。なお、このようにして増設するブロックには、例えば年度表示（西暦や紀元）や干支表示、或は、特別な日（例えば、誕生日や様々な記念日など）の表示をしてもよい。
【産業上の利用可能性】
【００２１】
　本考案置物は以上の通りであって、動物などの陶製などによる置物の外観にマッチする態様で万年カレンダー機能を果す構成を付加して置物を形成したから、置物として何らの違和感もなくそれを万年カレンダーとして利用できるという、装飾性と実用性を兼備した置物を提供することができる。
【図面の簡単な説明】
【００２２】
【図１】本考案置物の第一例の正面図。
【図２】本考案置物の第二例の正面図。
【図３】表示ブロックのセット部を抽出して示した断面図。
【図４】４個の立方体状をなす表示ブロックを、その表示内容を略示して示した斜視図。
【符号の説明】
【００２３】
　１　　　　置物本体
　２　　　　置物載置台
　３　　　　表示ブロックのセット部
　４　　　　月表示ブロック
　５，６　　日付表示ブロック
　７　　　　曜日表示ブロック
【図１】
0003099813.tif 000003
【図２】
0003099813.tif 000004
【図３】
0003099813.tif 000005
【図４】
0003099813.tif 000006